(57)【要約】【課題】光源から集光部に向かうレーザ光が通過するために部品の集積率が高くなり装置の厚みが増す場合であっても、装置の薄型化が可能な光ピックアップ装置を提供することを目的とする。【解決手段】レーザ光を出射するレーザ部１０１と、レーザ光を光ディスクに集光する対物レンズ１３と、レーザ部１０１と対物レンズ１３との間に位置しレーザ光を導く光学部品と、レーザ部１０１と対物レンズ１３と光学部品とを保持するキャリッジ４と、キャリッジ４を両端から支持し移動可能に保持するガイドシャフト７および支持シャフト６と、レーザ部１０１に接続し電力を供給する配線部材３５と、を備え、ガイドシャフト７はレーザ部１０１側に位置し、支持シャフト６は対物レンズ１３側に位置し、配線部材３５はレーザ部１０１とガイドシャフト７との間から引き出されることを特徴とする。【選択図】図１
2013246847.tif 000002
【特許請求の範囲】
【請求項１】
レーザ光を出射する光源と、
前記レーザ光を光ディスクに集光する集光部と、
前記光源と前記集光部との間に位置し前記レーザ光を導く光学部品と、
前記光源と前記集光部と前記光学部品とを保持するキャリッジと、
前記キャリッジを両端から支持し移動可能に保持する第１シャフトおよび第２シャフトと、
前記光源に接続し電力を供給する配線部材と、を備え、
前記第１シャフトは前記光源側に位置し、前記第２シャフトは前記集光部側に位置し、
前記配線部材は前記光源と前記第１シャフトとの間から引き出されることを特徴とする光ピックアップ装置。
【請求項２】
前記配線部材は、前記キャリッジの移動方向と平行に前記キャリッジの側方から引き出されることを特徴とする請求項１記載の光ピックアップ装置。
【請求項３】
前記光ディスクを回転させる回転駆動手段を備え、
前記配線部材は、前記回転駆動手段の方向に向かって引き出されることを特徴とする請求項２記載の光ピックアップ装置。
【発明の詳細な説明】
【技術分野】
【０００１】
本発明は、パーソナルコンピュータ、ノートブック型コンピュータ、モバイル端末機器などの電子機器に搭載される光ピックアップ装置に関するものである。
【背景技術】
【０００２】
光ディスクには、ＢＤ、ＤＶＤ、ＣＤ−Ｒ、ＣＤ−ＲＷ等の種々の種類がある。ＢＤにおいては、波長略４０５ｎｍのレーザ光により情報の記録または再生が行われる。ＤＶＤにおいては、波長略６５０ｎｍのレーザ光により情報の記録または再生が行われる。一方、ＣＤ−ＲやＣＤ−ＲＷにおいては、波長略７８０ｎｍのレーザ光により情報の記録または再生が行われる。このような複数種類の光ディスクに対して情報の記録または再生を行う光ピックアップ装置が提案されている。
【０００３】
また、最近ではノートブック型コンピュータやモバイル端末機器の薄型化により光ディスク装置の薄型化が進んでいる。
【先行技術文献】
【特許文献】
【０００４】
【特許文献１】特開２００６−４５７１号公報
【発明の概要】
【発明が解決しようとする課題】
【０００５】
光ピックアップ装置の薄型化には、光学部品および受光素子の薄型化が必要となる。
【０００６】
しかしながら、光学部品、受光素子の薄型化にも限界があり、光ピックアップ装置の更なる薄型化が困難であるという問題があった。
【０００７】
本発明は、上記課題を解決するためになされたものであって、装置の薄型化が可能な光ピックアップ装置を提供することを目的とする。
【課題を解決するための手段】
【０００８】
本発明は、レーザ光を出射する光源と、前記レーザ光を光ディスクに集光する集光部と、前記光源と前記集光部との間に位置し前記レーザ光を導く光学部品と、前記光源と前記集光部と前記光学部品とを保持するキャリッジと、前記キャリッジを両端から支持し移動可能に保持する第１シャフトおよび第２シャフトと、前記光源に接続し電力を供給する配線部材と、を備え、前記第１シャフトは前記光源側に位置し、前記第２シャフトは前記集光部側に位置し、前記配線部材は前記光源と前記第１シャフトとの間から引き出されることを特徴とする光ピックアップ装置である。
【発明の効果】
【０００９】
本発明は上記構成により、配線部材を光源と第１シャフトとの間から引き出すので、光源と集光部と光学部品の上方または下方に配線部材を配置するための空間を必要としない。また、光源から集光部に向かうレーザ光の光路位置に影響を与えることなく、配線部材を配置することができる。その結果、光源から集光部に向かうレーザ光の光路位置に影響を与えることなく、光源と集光部と光学部品の上方または下方に配線部材を配置するための空間を必要としないので、装置の薄型化が可能な光ピックアップ装置を実現できる。
【図面の簡単な説明】
【００１０】
【図１】本発明の実施の形態１における光ピックアップ装置を示す平面図
【図２】本発明の実施の形態１における光ピックアップ装置を示す側面断面図
【図３】本発明の実施の形態１における光ピックアップ装置を示す部分拡大図
【図４】本発明の実施の形態１における光ピックアップ装置のアクチュエータを示す正面図
【図５】本発明の実施の形態１における光ピックアップ装置のアクチュエータを示す断面図
【図６】本発明の実施の形態１における光ピックアップ装置のアクチュエータを示す斜視図
【図７】本発明の実施の形態１における光ピックアップ装置を示す斜視図
【図８】本発明の実施の形態１における光ピックアップモジュールの構成を示す図
【発明を実施するための形態】
【００１１】
請求項１記載の発明は、レーザ光を出射する光源と、レーザ光を光ディスクに集光する集光部と、光源と集光部との間に位置しレーザ光を導く光学部品と、光源と集光部と光学部品とを保持するキャリッジと、キャリッジを両端から支持し移動可能に保持する第１シャフトおよび第２シャフトと、光源に接続し電力を供給する配線部材と、を備え、第１シャフトは光源側に位置し、第２シャフトは集光部側に位置し、配線部材は光源と第１シャフトとの間から引き出されることを特徴とする。これにより、配線部材を光源と第１シャフトとの間から引き出すので、光源と集光部と光学部品の上方または下方に配線部材を配置するための空間を必要としない。また、光源から集光部に向かうレーザ光の光路位置に影響を与えることなく、配線部材を配置することができる。その結果、光源から集光部に向かうレーザ光の光路位置に影響を与えることなく、光源と集光部と光学部品の上方または下方に配線部材を配置するための空間を必要としないので、装置の薄型化が可能な光ピックアップ装置を実現できる。
【００１２】
請求項２記載の発明は、配線部材はキャリッジの移動方向と平行にキャリッジの側方から引き出されることを特徴とする。これにより、配線部材をキャリッジの移動方向と平行にキャリッジの側方から引き出すので、キャリッジが移動する際に配線部材に対して負荷をかけない。
【００１３】
請求項３記載の発明は、光ディスクを回転させる回転駆動手段を備え、配線部材は回転駆動手段の方向に向かって引き出されることを特徴とする。これにより、配線部材を回転駆動手段の方向に向かって引き出すので、回転駆動手段の中心から離れる方向、もしくは回転駆動手段の中心に近づく方向に移動するキャリッジの移動を妨げることなく、キャリッジが移動する際に配線部材に対して負荷をかけない。
【００１４】
（実施の形態１）
以下、本発明の実施の形態１における光ピックアップ装置について図面を参照しながら説明する。
【００１５】
図１は本発明の実施の形態１における光ピックアップ装置を示す平面図で、図２は本発明の実施の形態１における光ピックアップ装置の側面断面図である。
【００１６】
なお、本実施の形態における光源、集光部、受光素子、キャリッジ、回転駆動手段は、それぞれレーザ部１０１、対物レンズ１３、受光素子部１０２、キャリッジ４、スピンドルモータ２に相当する。また、本実施の形態のおけるシャフトは支持シャフト６とガイドシャフト７とから構成され、第１シャフトはガイドシャフト７に相当し、第２シャフトは支持シャフト６に相当する。
【００１７】
光ピックアップ３は光ディスク１に光を照射することで、情報の再生もしくは情報の記録の少なくとも一方を行う。光ディスク１は、情報の再生のみが行えるディスク、情報の再生に加えて情報の記録が行えるディスク、情報の再生に加えて情報の記録／消去が可能なディスクに分類される。情報の再生のみが行えるディスクとして、ＣＤ−ＲＯＭディスク，ＤＶＤ−ＲＯＭディスク，ＢＤ−ＲＯＭディスク等がある。また、情報の再生に加えて情報の記録が行えるディスクとして、ＣＤ−Ｒディスク，ＤＶＤ−Ｒディスク，ＢＤ−Ｒディスク等がある。また、情報の再生に加えて情報の記録／消去が可能なディスクとして、ＣＤ−ＲＷディスク，ＤＶＤ−ＲＷディスク，ＤＶＤ−ＲＡＭディスク，ＢＤ−ＲＥディスク等がある。
【００１８】
また、光ディスク１は、略青紫色の光で情報の記録もしくは再生の少なくとも一方が行える記録層を備えるもの、略赤色の光で情報の記録もしくは再生の少なくとも一方が行える記録層を備えるもの、略赤外光で情報の記録もしくは再生が行える記録層を備えるものがある。更に、光ディスク１は、様々な直径を有する円盤状のものがあるが、この中でも３ｃｍ〜１２ｃｍの直径を有する円盤状のものが好適に用いられる。
【００１９】
スピンドルモータ２は光ディスク１を回転するためのモータである。スピンドルモータ２には、光ディスク１を保持するチャッキング部（図示せず）が設けられている。スピンドルモータ２は光ディスク１を角速度一定で回転させたり或いは角速度を可変的に回転させたりすることが可能である。このように角速度を一定或いは可変的に制御するかは、図示していないスピンドルモータ駆動手段及び光ディスク装置の制御部が状況に応じて切り替える。なお、本実施の形態では、光ディスク１の回転駆動手段としてスピンドルモータ２を用いたが、他の種類のモータや他の手段を用いて、回転駆動させても良い。
【００２０】
光ピックアップ３は、レーザ光１０６を光ディスク１に集光する対物レンズ１３を備え、光ディスク１に光を照射することで情報を光ディスク１に記録及び光ディスク１から情報を読み取る。
【００２１】
キャリッジ４は、光ピックアップ３のベースであり、レーザ部１０１、受光素子部１０２、およびレーザ部１０１から対物レンズ１３にレーザ光１０６を導く複数の光学部品とを保持する。ここで、複数の光学部品は、コリメートレンズ９、立上げプリズム１２などから構成される。
【００２２】
光ピックアップアクチュエータ５は対物レンズ１３を略三次元的に移動させる。キャリッジ４は、その両端を支持シャフト６とガイドシャフト７とにより支持されている。支持シャフト６は対物レンズ１３側に位置してキャリッジ４の一方の端部を支持し、ガイドシャフト７はレーザ部１０１側に位置してキャリッジ４の他方の端部を支持し、キャリッジ４を光ディスク１の内周と外周との間で移動可能としている。また、キャリッジ４は、光ピックアップアクチュエータ５と光学部或いは光源を搭載している。
【００２３】
ビームスプリッタ８は、入射するレーザ光１０６を分岐させる機能を有し、レーザ光１０６の一部を光モニタ３１に向かうように透過し、残りのレーザ光１０６を立上プリズムに向かわせる。光モニタ３１は、ビームスプリッタ８を経由して導かれた光を利用してレーザ光１０６の出力レベルをモニタする。
【００２４】
コリメートレンズ９は、レーザ部１０１から出力された発散したレーザ光１０６を略平行光にする。
【００２５】
光学ユニット１０は、赤及び赤外色のレーザ光を出射するレーザ部１０１及びレーザ光を受光する受光素子部１０２を備える。詳細については、図３を用いて説明する。
【００２６】
波長板１１は、波長略６６０ｎｍ及び波長略７８０ｎｍに対応したλ／４板で、往路と復路において偏光方向を略９０度偏光させている。
【００２７】
立上げプリズム１２は、レーザ光を第１面１２１で反射し、第２面１２２で更に反射して、その後、第１面１２１を透過させるようにする。これにより、光ピックアップ装置の薄型化、小型化の少なくとも一方を容易に行うことができ、後述するアクチュエータの剛性を増すことも可能となっている。
【００２８】
対物レンズ１３は、波長略６６０ｎｍに対応した光ディスク（ＤＶＤ）１用の対物レンズで、波長略７８０ｎｍに対応した光ディスク（ＣＤ）１に対しても平行光で所望の記録位置に焦点を結ぶことのできる機能を有する。本実施の形態では、キャリッジ４の移動方向Ｌに沿って、しかもスピンドルモータ２のセンターを通るセンターラインＭ上に対物レンズ１３のセンターが略一致するように構成する。
【００２９】
レーザドライバ３０は、レーザ部１０１内に内蔵する波長略７８０ｎｍと波長略６６０ｎｍの波長のレーザーダイオードを発光させる機能と、さらに各波長に対しノイズ低減のために重畳を掛ける機能を有している。また、レーザドライバ３０は、キャリッジ４上に配置される配線部材カバー板金３４（図７参照）とキャリッジ４下に配置されるカバー板金（図示せず）に近接した配置とし放熱を効果的に行うことができる構造になっている。
【００３０】
次に、レーザ部１０１から対物レンズ１３に向かうレーザ光の往路について説明する。
【００３１】
レーザ部１０１から出射されたレーザ光１０６は、プリズム１０５を経由してビームスプリッタ８に向かう。ビームスプリッタ８ではレーザ光１０６の一部を光モニタ３１に向かわせ、残りをコリメートレンズ９に向かわせる。光モニタ３１は、レーザ光１０６の一部を受光してレーザ部１０１から出射されるレーザ光の光量を制御する。また、立上げプリズム１２は、入射したレーザ光１０６をさらに対物レンズ１３に向かわせる。対物レンズ１３は、入射したレーザ光１０６を光ディスク１の記録面上に集光させて、情報の再生、もしくは情報の記録を行う。
【００３２】
次に、対物レンズ１３から受光素子部１０２に向かうレーザ光の復路について説明する。
【００３３】
対物レンズ１３により光ディスク１の記録面上に集光された光は、その一部が対物レンズ１３側に反射される。この反射された光は、対物レンズ１３に入射した後、立上げプリズム１２、コリメートレンズ９、ビームスプリッタ８、プリズム１０５を経由して受光素子部１０２に到達する。プリズム１０５は、レーザ部１０１から対物レンズ１３との光路上に位置しキャリッジ４に保持されて、レーザ部１０１からのレーザ光１０６を対物レンズ１３に向かわせる機能と、対物レンズ１３からの戻り光を受光素子部１０２に向かわせる機能を有する。対物レンズ１３からの戻り光の場合、このプリズム１０５の機能を利用して、対物レンズ１３からの戻り光を受光素子部１０２に到達させる。
【００３４】
次に、本実施の形態の特徴部分について説明する。
【００３５】
キャリッジ４は、支持シャフト６とガイドシャフト７とから両端を支持され、移動可能となっている。ガイドシャフト７はレーザ部１０１側に位置し、支持シャフト６は対物レンズ１３側に位置する。配線部材３５は、少なくともレーザ部１０１に接続され、レーザ部１０１にレーザ光を出射させるための電力を供給する。そして、この配線部材３５は、レーザ部１０１とガイドシャフト７との間から引き出される。
【００３６】
これにより、配線部材３５をレーザ部１０１とガイドシャフト７との間から引き出すので、レーザ部１０１と対物レンズ１３と光学部品の上方または下方に配線部材３５を配置するための空間を必要としない。また、レーザ部１０１から対物レンズ１３に向かうレーザ光の光路位置に影響を与えることなく、配線部材３５を配置することができる。その結果、レーザ部１０１から対物レンズ１３に向かうレーザ光の光路位置に影響を与えることなく、レーザ部１０１と対物レンズ１３と光学部品の上方または下方に配線部材３５を配置するための空間を必要としないので、装置の薄型化が可能な光ピックアップ装置を実現できる。
【００３７】
また、配線部材３５は、キャリッジ４の移動方向と平行にキャリッジ４の側方から引き出される。これにより、配線部材３５をキャリッジ４の移動方向と平行にキャリッジ４の側方から引き出すので、キャリッジ４が移動する際に配線部材に対して負荷をかけない。
【００３８】
さらに、配線部材３５は、スピンドルモータ２の方向に向かって引き出される。これにより、配線部材３５をスピンドルモータ２の方向に向かって引き出すので、スピンドルモータ２から離れる方向、もしくはスピンドルモータ２に近づく方向に移動するキャリッジ４の移動を妨げることなく、キャリッジ４が移動する際に配線部材３５に対して負荷をかけない。
【００３９】
図３は本発明の実施の形態１における光ピックアップ装置を示す部分拡大図である。
【００４０】
なお、本実施の形態における受光素子、プリズムは、それぞれ受光素子部１０２、プリズム１０５に相当する。
【００４１】
レーザ部１０１は、波長略６６０ｎｍのレーザ光を出射するレーザーダイオード１０３と波長略７８０ｎｍのレーザ光を出射するレーザーダイオード１０４を有しており、このレーザーダイオード１０３，１０４はベース１０１ａに取り付けられている。
【００４２】
なお、本実施の形態では、レーザーダイオード１０３，１０４をそれぞれ別の発光体ブロックとして配置するが、一つの発光体ブロックに複数の発光層を設けて一つの発光体ブロックを配置する構成でも良い。また、本実施の形態では、２つの異なる波長のレーザーダイオードを搭載したが、１つもしくは３つ以上の異なる波長のレーザーダイオードを設けた構成としても良い。
【００４３】
また、ベース１０１ａには端子１０１ｂが複数本立設されており、この端子１０１ｂはアース端子，レーザーダイオード１０３，１０４に電流を供給する端子，モニタ光の出力端子などで構成されている。
【００４４】
本実施の形態では、２つのレーザーダイオードを搭載した形態について、詳細説明を以下に行う。
【００４５】
プリズム１０５はレーザ光１０６を透過し、戻り光を受光素子部１０２に導く。プリズム１０５には互いに略平行で傾斜した傾斜面１０５ａ〜１０５ｃが設けられており、この傾斜面１０５ａ〜１０５ｃにはビームスプリッタ膜やホログラムなどの光学素子が配設されている。具体的には、傾斜面１０５ａには、反射膜と、ホログラム（図示せず）が施され、フォーカス検出、トラッキング検出、光ディスク１上に記録された信号及び制御信号等を検出するための機能が組み込まれている。傾斜面１０５ｂには、波長略６６０ｎｍに対しては偏光ビームスプリッタでＰ波光は透過、Ｓ波光は反射する膜が形成され、波長略７８０ｎｍに対しては一部透過し、一部反射する膜が形成されている。傾斜面１０５ｃには、波長略６６０ｎｍと波長略７８０ｎｍに対して偏光ビームスプリッタでＰ波光のみを透過し、Ｓ波光を反射する膜が形成されている。
【００４６】
この傾斜面１０５ａ〜１０５ｃは、透明なガラスブロックや樹脂ブロック同士などの接合面に相当する。なお、本実施の形態では、傾斜面は３つ設けたが、１つまたは複数設けても良い。
【００４７】
また、必要に応じてプリズム１０５のレーザ部１０１側には、３ビームを構成するための回折格子１０８が１枚の板から形成されており、波長略７８０ｎｍに対しては全面単一の回折格子で形成されて、波長略６６０ｎｍに対しては２分割された回折格子で形成された３ビーム回折格子となっている。なお、本実施の形態では、１枚の板から形成された回折格子としたが、一方のレーザ波長が他の波長から影響を受けないように、例えば、偏光を利用した複数の板を貼り付けた回折格子でも良い。
【００４８】
結合部材１０７は、レーザ部１０１と受光素子部１０２の位置を決めるための部材である。
【００４９】
レーザーダイオード１０３，１０４のいずれか一方から出射された光は、回折格子１０８，プリズム１０５を通過して光ディスク１に導かれ、光ディスク１で反射した反射光は、プリズム１０５を通過して受光素子部１０２に導かれる。この時、プリズム１０５において光ディスク１からの反射光は、傾斜面１０５ｂと傾斜面１０５ａ間で反射されて、受光素子部１０２に入射される。
【００５０】
受光素子部１０２は透明な部材を含むケース１０２ｂで覆われた受光素子１０２ａを有し、受光素子１０２ａと電気的に接続された端子（図示せず）がケース１０２ｂの外方へ導出されている。
【００５１】
光モニタ３１は透明な部材を含むケース３１ｂで覆われた受光素子３１ａを有し、受光素子３１ａと電気的に接続された端子（図示せず）がケース３１ｂの外方へ導出されている。
【００５２】
次に、対物レンズを保持したアクチュエータについて図４、図５、図６を用いて説明する。
【００５３】
図４は本発明の実施の形態１における光ピックアップ装置のアクチュエータを示す正面図、図５は本発明の実施の形態１における光ピックアップ装置のアクチュエータを示す断面図、図６は本発明の実施の形態１における光ピックアップ装置のアクチュエータを示す斜視図である。
【００５４】
図４、図５、図６において、対物レンズ保持筒１４は対物レンズ１３を接着等の手段で固定する。
【００５５】
フォーカスコイル１９，２０は、それぞれ略リング状に巻線されている。トラッキングコイル１５，１６，１７，１８は、フォーカスコイル１９，２０と同様に、それぞれ略リング状に巻線されている。これらのフォーカスコイル１９，２０、およびトラッキングコイル１５，１６，１７，１８も対物レンズ保持筒１４に接着剤等で固定されている。サスペンションワイヤ２１，２２は、対物レンズ保持筒１４とサスペンションホルダー２３を連結しており、少なくとも対物レンズ保持筒１４は所定の範囲で、サスペンションホルダー２３に対して変位可能となっている。サスペンションワイヤ２１，２２の両端部は、それぞれ対物レンズ保持筒１４とサスペンションホルダー２３に、半田または溶接、接着などで固定されている。サスペンションワイヤ２１には、フォーカスコイル１９、トラッキングコイル１５も半田付け等で固定され、サスペンションワイヤ２２には、フォーカスコイル２０，トラッキングコイル１８も半田付け等で電気的に接続されている。サスペンションワイヤ２１，２２は、フォーカスコイル１９，２０のそれぞれと、また直列に接合されたトラッキングコイル１５，１６，１７，１８に対し電力を供給できるように、好ましくは６本以上の丸ワイヤもしくは板バネ等で構成されている。なお、本実施の形態では、サスペンションワイヤ２１，２２はそれぞれ３本ずつで千鳥配置となっており、光ピックアップ装置の薄型化、小型化の少なくとも一方を行うことができる。
【００５６】
サスペンションホルダー２３にはサスペンションワイヤ２１，２２を半田等で固定するため、フレキシブル基板２４が接着等で固定されている。マグネット２５，２６，２７，２８は、フォーカス及びトラッキング用のマグネットであり、フォーカスコイル１９，２０よりもマグネット幅方向（トラッキング方向）を小さく構成している。フォーカスコイル１９，２０のコイル中心位置は、マグネット２５，２６，２７，２８のそれぞれの中心位置に配置されている。トラッキングコイル１５はマグネット２５に対して光ディスク１の内周寄りに配置され、トラッキングコイル１６はマグネット２６に対して光ディスク１の外周寄りに配置され、トラッキングコイル１７はマグネット２７に対して光ディスク１の内周寄りに配置され、トラッキングコイル１８はマグネット２８に対して、光ディスク１の外周寄りに配置されている。また、マグネット２５，２６，２７，２８はトラッキング方向と直交する方向に磁極がそれぞれ分割されている。つまり、一極がフォーカスコイル１９，２０及びトラッキングコイル１５，１６，１７，１８の略リング状の一片に対向するように配設されている。このとき、マグネット２５，２６，２７，２８と磁気ヨーク２９でそれぞれフォーカス磁気回路、トラッキング磁気回路を構成し、このフォーカス磁気回路の中にそれぞれフォーカスコイル１９，２０、トラッキング磁気回路の中にそれぞれトラッキングコイル１５，１６，１７，１８が１個ずつ配設された構成が実現でき、それぞれのコイルに通電することによりそれぞれ独立して制御することが可能になる。
【００５７】
なお、本実施の形態においてはフォーカスコイル１９，２０を独立に制御していることを説明しているが、フォーカスコイル１９，２０、トラッキングコイル１５，１６，１７，１８をすべて独立に制御するのもよい。この場合、サスペンションワイヤ２１及び２２は全体で少なくとも１２本必要となる。
【００５８】
磁気ヨーク２９は、磁気的な面からはマグネット２５，２６，２７，２８の磁気的なヨークの役目を果たし、構造的な面からは、サスペンションホルダー２３を保持して固定する機能を担っており、接着剤等でサスペンションホルダー２３を固定するのにも利用されている。サスペンションワイヤ２１，２２の、サスペンションホルダー２３側には、ダンピングを行うダンパーゲルが充填されている。ダンパーゲルはＵＶ等でゲル状になる材料を使用している。なお、対物レンズ保持筒１４、フォーカスコイル１９、フォーカスコイル２０、トラッキングコイル１５、トラッキングコイル１６、トラッキングコイル１７、トラッキングコイル１８、対物レンズ１３とで構成される部分を、光ピックアップアクチュエータ可動部という。
【００５９】
次に、本実施の形態における光ピックアップ装置の光学構成を図１〜図３を用いて説明する。
【００６０】
まずは、波長略６６０ｎｍについて説明する。
【００６１】
レーザ部１０１のレーザーダイオード１０３から出射された波長略６６０ｎｍのレーザ光１０６は、回折格子１０８によって３ビームを形成し、プリズム１０５を介してビームスプリッタ８で反射し、コリメートレンズ９で略平行光になるようになっている。コリメートレンズ９から出た略平行光のレーザ光１０６は、波長板１１を透過して略円偏光となり、立上げプリズム１２の第１面及び、第２面１２２で反射される。反射されたレーザ光１０６は、対物レンズ１３によって集光されて光ディスク１上に光スポットを形成する。
【００６２】
光ディスク１から戻るレーザ光１０６は、往路とは逆の方向から波長板１１に入射し波長板１１を通過することによって、往路とは略９０度の偏光方向に偏光され、プリズム１０５内の傾斜面１０５ｂにより反射され、さらに傾斜面１０５ａにより反射され、更に再び傾斜面１０５ｂにより反射され、受光素子部１０２内の受光素子１０２ａに導かれる。また、レーザーダイオード１０３から出射されたレーザ光１０６は、ビームスプリッタ８で一部透過し、光モニタ３１へ導かれる。光モニタ３１は受光したレーザ光１０６の光量をモニタリングし、レーザーダイオード１０３から出射されたレーザ光１０６の出力レベルを調節する。
【００６３】
続いて、波長略７８０ｎｍについて説明する。
【００６４】
レーザ部１０１のレーザーダイオード１０４から出射された波長略７８０ｎｍのレーザ光１０６は、回折格子１０８によって３ビームを形成し、プリズム１０５を介してビームスプリッタ８で反射し、コリメートレンズ９で略平行光になるようになっている。コリメートレンズ９から出た略平行光のレーザ光１０６は、波長板１１を透過して略円偏光となり、立上げプリズム１２の第１面及び第２面１２２で反射される。反射されたレーザ光１０６は、対物レンズ１３によって集光されて光ディスク１上に光スポットを形成する。光ディスク１から戻るレーザ光１０６は、往路とは逆の方向から波長板１１に入射し波長板１１を通過することによって、往路とは略９０度の偏光方向に偏光され、プリズム１０５内の傾斜面１０５ｂにより反射され、さらに傾斜面１０５ａにより反射され、更に再び傾斜面１０５ｂにより反射され、受光素子部１０２内の受光素子１０２ａに導かれる。また、レーザーダイオード１０４から出射されたレーザ光１０６は、ビームスプリッタ８で一部透過し、光モニタ３１へ導かれる。光モニタ３１は受光したレーザ光１０６の光量をモニタリングし、レーザーダイオード１０４から出射されたレーザ光１０６の出力レベルを調節する。
【００６５】
次に、本実施の形態における光ピックアップアクチュエータ可動部の動作について、図４，図５，図６を用いて説明する。
【００６６】
サスペンションホルダー２３に取り付けられたフレキシブル基板２４、このフレキシブル基板２４と接続されたサスペンションワイヤ２１及び２２を介して、フォーカスコイル１９，２０、トラッキングコイル１５，１６，１７，１８に、図示しない電源から電力が供給される。サスペンションワイヤ２１及び２２はトータルとして少なくとも６本以上設けられており、そのうち２本は、直列に設けられたトラッキングコイル１５，１６，１７，１８に接続され、残り４本のうちの２本はフォーカスコイル１９に接続され、残り２本がフォーカスコイル２０の接続されている。これによって、フォーカスコイル１９，２０はそれぞれ独立に通電制御することが可能になる。
【００６７】
フォーカスコイル１９とフォーカスコイル２０のいずれも正方向（または負方向）に電流を流すと、フォーカスコイル１９，２０とマグネット２５，２６，２７，２８の配置関係と、磁極の極性の関係からフォーカス方向に可動にできるフォーカス磁気回路が形成され、電流を流す方向及び量に応じてフォーカス方向の制御が可能になる。次に、トラッキングコイル１５，１６，１７，１８の正方向（または負方向）に電流を流すと、トラッキングコイル１５，１６，１７，１８とマグネット２５，２６，２７，２８の配置関係と、磁極の極性の関係からトラッキング方向に可動にできるトラッキング磁気回路が形成され、トラッキング方向の制御が可能になる。
【００６８】
また、実施の形態においては、上述したようにフォーカスコイル１９とフォーカスコイル２０にはそれぞれ独立して電流を流すことができるようになっている。従って、一方のコイルに流す電流の向きを反転すると、フォーカスコイル１９には光ディスク１へ近づく方向への力が働き、フォーカスコイル２０には光ディスク１から離れる方向へ力が働く。この結果、相反する力により、光ピックアップアクチュエータ可動部にはトラッキング方向に回転するモーメントが発生し、６本のサスペンションワイヤ２１及び２２に働く捻りモーメントとの力が釣り合う位置までチルトすることができる。このフォーカスコイル１９，フォーカスコイル２０に流す方向及び量に応じてチルト方向の制御が可能になる。
【００６９】
以下、対物レンズ１３について説明する。
【００７０】
対物レンズ１３は波長略６６０ｎｍにおいて、開口数は０．６５〜０．６６で、焦点距離は１．５ｍｍ〜１．６５ｍｍとすることが好ましい。すなわち、開口数が０．６５〜０．６６以外であると、光ディスク１（ＤＶＤ）の情報の記録再生特性に不利となり、焦点距離が短いと光ディスク１の偏芯により、光ピックアップ３の特性に不利となり、焦点距離が長いと、対物レンズ１３の直径サイズが大きくなる。また、対物レンズ１３に入射する略平行光径も拡大する必要があり、そのために立上げプリズム１２やコリメートレンズ９などのサイズを拡大する必要があるため、薄型化、小型化に不向きである。この様に、対物レンズ１３の焦点距離を規定することで、光ピックアップ装置の薄型化、小型化の少なくとも一方を実現できる。
【００７１】
また、図１に示すように、キャリッジ４の移動方向Ｌに沿って、しかもスピンドルモータ２のセンターを通るセンターラインＭ上に対物レンズ１３のセンターが略一致するように構成することが好ましい。すなわち、この様な構成によって、従来光検出方式でもっとも実績のある３ビームＤＰＰ（デファレンシャルプッシュプル）方式を採用することができる。
【００７２】
次に、光ピックアップと保護カバーの関係について説明する。なお、保護カバー３３はキャリッジ４と支持シャフト６およびガイドシャフト７を覆い光ディスク１に向かう開口部３３１を有する。
【００７３】
図７は本発明の実施の形態１における光ピックアップ装置を示す斜視図である。また、図８は本発明の実施の形態１における光ピックアップモジュールの構成を示す図である。なお、本実施の形態における配線部材は、配線部材３５に相当する。
【００７４】
光ピックアップ３は、その上面が配線部材カバー板金３４，アクチュエータカバー３６で覆われており、アクチュエータカバー３６は少なくとも対物レンズ１３が露出する開口部３６ａを備えている。また、配線部材カバー板金３４は、第１の平坦部３４１と、第２の平坦部３４２とを備えている。
【００７５】
配線部材３５は、レーザ部１０１と受光素子部１０２と光モニタ３１と接続される。この配線部材３５は、１つの配線部材で接続されても複数の配線部材で接続されても良い。配線部材３５はフレキシブルプリント基板（ＦＰＣ）を用いても良いし、リード線を束ねたフラットケーブルでも良い。
【００７６】
光ピックアップモジュール３２は、保護カバー３３，スピンドルモータ２，光ピックアップ３を有し、図８の矢印方向に光ピックアップ３をスピンドルモータ２に近づけたりスピンドルモータから離したりする構成を採っている。
【００７７】
配線部材３５は、第２の平坦部３４２の下面側から引き出され、光ディスク装置と接続される。なお、本実施の形態では、配線部材３５はレーザ部１０１とガイドシャフト７との間から引き出される。
【００７８】
第１の平坦部３４１は開口部３３１部に配置され、第２の平坦部３４２は保護カバー３３の下側に配置されている。また、第１の平坦部３４１は開口部３３１部に配置されるため、第２の平坦部３４２より光ディスク１面側に近づけることができ、保護カバー３３と略同じ高さ、または、若干、保護カバー３３の上面より突出して、光ディスク１の下面に接触しない範囲で配置される。
【００７９】
第１の平坦部３４１の下面には、レーザ部１０１、受光素子部１０２、光モニタ３１が配置されている。また、開口部３３１には、レーザ部１０１、受光素子部１０２、光モニタ３１、ビームスプリッタ８、コリメートレンズ９、波長板１１、立上げプリズム１２、対物レンズ１３が配置されている。
【００８０】
なお、本実施の形態では、第１の平坦部３４１の下面にレーザ部１０１、受光素子部１０２、光モニタ３１を配置したが、レーザ部１０１、受光素子部１０２を第１の平坦部３４１の下面に配置した構成でも良い。また、本実施の形態では、開口部３３１部にレーザ部１０１、受光素子部１０２、光モニタ３１、ビームスプリッタ８、コリメートレンズ９、波長板１１、立上げプリズム１２、対物レンズ１３を配置したが、レーザ部１０１、受光素子部１０２、ビームスプリッタ８、コリメートレンズ９、立上げプリズム１２、対物レンズ１３を配置した構成でも良い。
【００８１】
このような構成にすることで、レーザ部１０１、受光素子部１０２、光モニタ３１、ビームスプリッタ８、コリメートレンズ９、立上げプリズム１２、対物レンズ１３のそれぞれを薄型化、小型化することなく、光ピックアップ３の薄型化、小型化を実現できる。
【００８２】
また、光ディスク１を回転させる光ディスク回転駆動手段を備えた光ディスク装置に上述の光ピックアップモジュール３２を取り付けることにより、薄型化、小型化が可能な光ディスク装置を実現することができる。
【産業上の利用可能性】
【００８３】
本発明は、装置の薄型化ができるので、パーソナルコンピュータ、ノートブック型コンピュータ、モバイル端末機器などの電子機器に搭載される光ピックアップ装置などに適応可能である。
【符号の説明】
【００８４】
１    光ディスク
２    スピンドルモータ
３    光ピックアップ
４    キャリッジ
５    光ピックアップアクチュエータ
６    支持シャフト
７    ガイドシャフト
８    ビームスプリッタ
９    コリメートレンズ
１０    光学ユニット
１１    波長板
１２    立上げプリズム
１３    対物レンズ
１４    対物レンズ保持筒
１５，１６，１７，１８    トラッキングコイル
１９，２０    フォーカスコイル
２１，２２    サスペンションワイヤ
２３    サスペンションホルダー
２４    フレキシブル基板
２５，２６，２７，２８    マグネット
２９    磁気ヨーク
３０    レーザドライバ
３１    光モニタ
３２    光ピックアップモジュール
３３    保護カバー
３４    配線部材カバー板金
３５    配線部材
３６    アクチュエータカバー
３６ａ    開口部
１０１    レーザ部
１０２    受光素子部
１０３    レーザーダイオード
１０４    レーザーダイオード
１０５    プリズム
１０６    レーザ光
１０７    結合部材
１０８    回折格子
３３１    開口部
【図１】
2013246847.tif 000003
【図２】
2013246847.tif 000004
【図３】
2013246847.tif 000005
【図４】
2013246847.tif 000006
【図５】
2013246847.tif 000007
【図６】
2013246847.tif 000008
【図７】
2013246847.tif 000009
【図８】
2013246847.tif 000010